(57)【要約】  コンテンツ関連情報を対話形式で提示するためのシステム及び方法が、ユーザ設定の修正を容易にする。この方法は、コンテンツに関連する複数の情報を含むコンテンツソースからのコンテンツにアクセスするステップと、この複数の情報の一部を含むバナーを表示するステップとを含む。コンテンツに関連する複数の情報の１つは、オンスクリーン要素を介してユーザにより選択可能である。この方法は、コンテンツに関連する複数の情報のうちの１つの情報の選択を受け取るステップと、選択された情報に関するテレビ設定を修正することなどの、コンテンツに関連する複数の情報のうちの１つの情報に関連する機能を実行するステップとをさらに含む。【選択図】      図１
2014510332.tif 000002
【特許請求の範囲】
【請求項１】
コンテンツ関連情報を対話形式で提示するための、媒体装置に実装される方法であって、
コンテンツに関連する複数の情報を含むコンテンツソースから前記コンテンツにアクセスするステップと、
前記複数の情報の一部を含むバナーを表示するステップと、
を含み、前記コンテンツに関連する前記複数の情報の１つがユーザ選択可能であり、
前記方法は、
前記コンテンツに関連する前記複数の情報のうちの前記１つの情報のユーザ選択を受け取るステップと、
前記コンテンツに関連する前記複数の情報のうちの前記１つの情報に関連する機能を前記媒体装置上で実行するステップと、
をさらに含むことを特徴とする方法。
【請求項２】
前記バナーは、前記コンテンツの再生中に前記コンテンツに重ねて表示される、
ことを特徴とする請求項１に記載の方法。
【請求項３】
前記バナーは、前記コンテンツに最初にアクセスした時点で自動的に表示される、
ことを特徴とする請求項１に記載の方法。
【請求項４】
前記機能は、チャネルをお気に入りとして記憶するよう動作する、
ことを特徴とする請求項１に記載の方法。
【請求項５】
前記機能は、複数のチャネルのリストを表示するよう動作する、
ことを特徴とする請求項１に記載の方法。
【請求項６】
前記機能は、各々が選択可能な複数の入力のリストを表示するよう動作する、
ことを特徴とする請求項１に記載の方法。
【請求項７】
前記機能は、各々が選択可能な複数のクローズドキャプションストリームのリストを表示するよう動作する、
ことを特徴とする請求項１に記載の方法。
【請求項８】
前記機能は、複数のオーディオストリームのうちの１つを選択可能にするよう動作する、
ことを特徴とする請求項１に記載の方法。
【請求項９】
コンテンツ関連情報を対話形式で提示するためのシステムであって、
１つのコンテンツに関連する情報にアクセスするよう動作可能なコンテンツ情報アクセスモジュールと、
前記１つのコンテンツに関連する前記情報を表示するよう動作可能なコンテンツ情報表示モジュールと、
前記１つのコンテンツに関連する前記情報の選択を受け取るよう動作可能なコンテンツ情報選択モジュールと、
前記１つのコンテンツに関連する前記情報の選択に関連する機能を実行するよう動作可能なコンテンツ情報選択処理モジュールと、
を備えることを特徴とするシステム。
【請求項１０】
前記コンテンツ情報表示モジュールは、前記１つのコンテンツに関連する前記情報をバナー領域に表示する、
ことを特徴とする請求項９に記載のシステム。
【請求項１１】
前記機能は、複数のディスプレイ装置入力のうちの１つの選択を受け取るために動作可能である、
ことを特徴とする請求項９に記載のシステム。
【請求項１２】
前記機能は、複数のチャネルのうちの１つの選択を受け取るために動作可能である、
ことを特徴とする請求項９に記載のシステム。
【請求項１３】
前記機能は、ペアレンタルレーティング閾値の選択を受け取るために動作可能である、
ことを特徴とする請求項９に記載のシステム。
【請求項１４】
前記機能は、構成メニューの選択を受け取るために動作可能である、
ことを特徴とする請求項９に記載のシステム。
【請求項１５】
電子システムによる実行時に、コンテンツ関連情報を対話形式で表示する方法を実施する命令を含むコンピュータ可読媒体であって、前記方法は、
コンテンツに関連する複数の情報を含むコンテンツソースから前記コンテンツにアクセスするステップと、
前記コンテンツを表示すると同時に、前記複数の情報の一部を含むバナーを表示するステップと、
を含み、前記コンテンツに関連する前記複数の情報の１つが選択可能であり、
前記方法は、
前記コンテンツに関連する前記複数の情報のうちの前記１つの情報の選択を受け取るステップと、
前記コンテンツに関連する前記複数の情報のうちの前記１つの情報に関連する機能を実行するステップと、
をさらに含むことを特徴とするコンピュータ可読媒体。
【請求項１６】
前記バナーは、再生中にコンテンツに重ねられる、
ことを特徴とする請求項１５に記載のコンピュータ可読媒体。
【請求項１７】
前記バナーは、前記コンテンツにアクセスした時点で自動的に表示される、
ことを特徴とする請求項１５に記載のコンピュータ可読媒体。
【請求項１８】
前記機能は、ディスプレイ装置の複数の入力のうちの１つの選択を受け取るために動作可能である、
ことを特徴とする請求項１５に記載の前記コンピュータ可読媒体。
【請求項１９】
前記機能は、構成メニューの選択を受け取るために動作可能である、
ことを特徴とする請求項１５に記載のコンピュータ可読媒体。
【請求項２０】
前記機能は、チャネルをお気に入りとして記憶するよう動作可能である、
ことを特徴とする請求項１５に記載の方法。
【発明の詳細な説明】
【技術分野】
【０００１】
〔関連出願との相互参照〕
本出願は、２０１０年９月２０日に出願された「特定の関心情報をユーザに対してテレビ上に表示する方法及びシステム（ＭＥＴＨＯＤ  ＡＮＤ  ＳＹＳＴＥＭ  ＯＦ  ＤＩＳＰＬＡＹＩＮＧ  ＩＮＦＯＲＭＡＴＩＯＮ  ＯＦ  ＳＰＥＣＩＦＩＣ  ＩＮＴＥＲＥＳＴ  ＴＯ  Ａ  ＵＳＥＲ  ＯＮ  Ａ  ＴＥＬＥＶＩＳＩＯＮ）」という名称の同時継続中の米国特許出願第１２／８８６，４５４号（代理人整理番号Ｓｏｎｙ−２００９０２８３５．０２，２０１０）に関するものであり、この特許出願はその全体が引用により本明細書に組み入れられる。
【０００２】
本発明の実施形態は、一般に、オーディオ／ビデオシステムなどに関する情報を対話形式で表示することに関する。
【背景技術】
【０００３】
テレビは、その進化とともに、ますます多くの機能及びますます多くの異なるタイプのコンテンツをサポートするようになってきた。これらの異なるタイプのコンテンツは、コンテンツに関する情報も含む。しばしば、コンテンツが表示され始めた時に、又は情報ボタンが押されたことに応答して、コンテンツとともにバナー又は情報領域が提示される。バナーは、コンテンツストリームに含まれるコンテンツに関する情報に基づく静的情報を表示することができる。例えば、バナーは、番組のタイトル、番組の記述及びレーティングなどを示すことができる。バナー内に提示される情報は、テレビの設定に関連するものであることが多い。
【発明の概要】
【発明が解決しようとする課題】
【０００４】
この情報は、視聴者にとって有用と考えられているが、視聴者は、この情報又はその使い方について理解していないことが多い。例えば、クローズドキャプションストリームが存在する旨の表示が視聴者に提示されることがあるが、クローズドキャプションストリームにアクセスするには、テレビ設定メニューに入ってクローズドキャプション設定領域に進むしか方法はない。視聴者は、様々な設定メニューに慣れておらず、従ってクローズドキャプションを有効にするのにかなりの時間が掛かり得るので、この方法は視聴者にとって特に困難である。また、複数のクローズドキャプションストリームが存在する場合、視聴者が誤ったものを選択し、再び設定メニューに入って所望のクローズドキャプションストリームを選択しようと試みる必要性が生じることがある。バナー情報は、しばしばユーザにとってよく分からないアイコン又は技術用語を含むこともある。
【０００５】
従って、バナー内に提示される情報は、ほとんど視聴者の役に立たず、或いは多くの場合になじみが薄く、視聴者にとってナビゲート及び使用が困難な設定メニュー項目に入るように求めるものが多い。
【０００６】
従って、例えば視聴者が直感的に行えるような、コンテンツ表示設定への分かりやすいアクセスに対するニーズが存在する。本発明の実施形態は、コンテンツに関する情報に関連する機能にアクセスするために選択可能な、コンテンツに関する情報を含む対話型バナーを提供する。従って、視聴者が複雑な及び一般的なメニューに入ってナビゲーションを行う必要なく、ディスプレイ装置の設定及びその他のコンテンツ表示設定に容易にアクセスできるようになる。本発明の実施形態では、対話型バナーを通じて機能を利用できるので、リモコンキーに直接アクセスする必要がなくなる。本発明の実施形態は、ユーザがリモコン上のどのボタンを押すべきかを判断する必要があるようにする代わりに、どこで設定変更を行うかをユーザがより確実に予想できるようにもする。
【課題を解決するための手段】
【０００７】
１つの実施形態では、本発明が、コンテンツに関する情報を対話形式で提示する方法として実施される。この方法は、コンテンツに関連する複数の情報を含むコンテンツソースからのコンテンツにアクセスするステップと、この複数の情報の一部を含むバナーを表示するステップとを含む。コンテンツに関連する複数の情報のうちの１つは選択可能である。バナーは、再生中にコンテンツに重ねて表示することができ、コンテンツにアクセスした時点で自動的に表示することができる。この方法は、コンテンツに関連する複数の情報のうちの１つ情報の選択を受け取るステップと、コンテンツに関連する複数の情報のうちの１つの情報に関連する機能を実行するステップとをさらに含む。この機能は、チャネルをお気に入りとして記憶し、複数のチャネルのリストを表示し、複数の入力のリストを表示し、複数のクローズドキャプションストリームのリストを表示し、複数のオーディオストリームの１つを選択可能にすることができる。複数の入力の各々及び複数のクローズドキャプションストリームの各々は、選択可能とすることができる。
【０００８】
１つの実施形態では、本発明が、コンテンツ関連情報を対話形式で提示するためのシステムとして実施される。このシステムは、１つのコンテンツに関連する情報にアクセスするコンテンツ情報アクセスモジュールと、この１つのコンテンツに関連する情報を表示するコンテンツ情報表示モジュールとを含む。コンテンツ情報表示モジュールは、１つのコンテンツに関連する情報をバナー内に表示することができる。このシステムは、１つのコンテンツに関連する情報の選択を受け取るコンテンツ情報選択モジュールと、この１つのコンテンツに関連する情報の選択に関連する機能を実行するコンテンツ情報選択処理モジュールとをさらに含む。この機能は、複数のディスプレイ装置入力の１つの選択を受け取り、複数のチャネルの１つの選択を受け取り、ペアレンタルレーティング閾値の選択を受け取り、構成メニューの選択を受け取ることができる。
【０００９】
別の実施形態では、本発明が、電子システムによる実行時に、コンテンツ関連情報を対話形式で表示する方法を実施する命令を含むコンピュータ可読媒体として実施される。この方法は、コンテンツに関連する複数の情報を含むコンテンツソースからのコンテンツにアクセスするステップと、この複数の情報の一部を含むバナーを表示するステップとを含む。コンテンツに関連する複数の情報のうちの１つは選択可能である。バナーは、再生中にコンテンツに重ねて表示することができ、コンテンツにアクセスした時点で自動的に表示することができる。この方法は、コンテンツに関連する複数の情報のうちの１つの情報の選択を受け取るステップと、このコンテンツに関連する複数の情報のうちの１つの情報に関連する機能を実行するステップとをさらに含む。この機能は、チャネルをお気に入りとして記憶し、複数のチャネルのリストを表示し、複数の入力のリストを表示し、複数のクローズドキャプションストリームのリストを表示し、複数のオーディオストリームの１つを選択可能にすることができる。複数の入力の各々及び複数のクローズドキャプションストリームの各々は、選択可能とすることができる。
【００１０】
同じ参照数字が同様の要素を示す添付の図面の図に、本発明を限定ではなく一例として示す。
【図面の簡単な説明】
【００１１】
【図１】本発明の１つの実施形態による例示的な画面表示領域を示す図である。
【図２】本発明の１つの実施形態によるオンスクリーン入力メニューの例示的な構成要素を示す図である。
【図３】本発明の１つの実施形態によるオンスクリーンチャネルメニューの例示的な構成要素を示す図である。
【図４】本発明の１つの実施形態による、追加メニューを選択するためのオンスクリーンメニューの例示的な構成要素を示す図である。
【図５】本発明の１つの実施形態によるオーディオ／ビデオディスプレイ装置の例示的な構成要素を示す図である。
【図６】本発明の１つの実施形態による、対話情報を提示するための動作環境の例示的な構成要素を示す図である。
【図７】本発明の１つの実施形態による、対話情報を提示するための例示的なコンピュータ制御処理のフローチャートである。
【図８Ａ】本発明の実施形態による例示的なオンスクリーン表示領域を示す図である。
【図８Ｂ】本発明の実施形態による例示的なオンスクリーン表示領域を示す図である。
【図９Ａ】本発明の実施形態による例示的なオンスクリーン表示領域を示す図である。
【図９Ｂ】本発明の実施形態による例示的なオンスクリーン表示領域を示す図である。
【図１０Ａ】本発明の実施形態による例示的なオンスクリーン表示領域を示す図である。
【図１０Ｂ】本発明の実施形態による例示的なオンスクリーン表示領域を示す図である。
【図１０Ｃ】本発明の実施形態による例示的なオンスクリーン表示領域を示す図である。
【図１１Ａ】本発明の実施形態による例示的なオンスクリーン表示領域を示す図である。
【図１１Ｂ】本発明の実施形態による例示的なオンスクリーン表示領域を示す図である。
【図１１Ｃ】本発明の実施形態による例示的なオンスクリーン表示領域を示す図である。
【発明を実施するための形態】
【００１２】
以下、添付図面に例を示す本発明の好ましい実施形態を詳細に参照する。これらの好ましい実施形態に関連して本発明を説明するが、これらの実施形態は、本発明をこれらの実施形態に限定するためのものではないと理解されよう。それどころか、本発明は、添付の特許請求の範囲により定義される本発明の思想及び範囲に含めることができる代替物、修正物及び同等物も対象とすることを意図している。さらに、以下の本発明の実施形態についての詳細な説明では、本発明を完全に理解できるようにするために、数多くの具体的な詳細を示す。しかしながら、当業者であれば、これらの具体的な詳細を伴わずに本発明を実施できると理解するであろう。その他の例では、本発明の実施形態の態様を不必要に曖昧にしないように、周知の方法、手順、構成要素及び回路については詳細に説明していない。
【００１３】
表記及び用語
以下の詳細な説明の一部は、手順、ステップ、論理ブロック、処理、及びコンピュータメモリ内のデータビット上におけるその他の象徴的な動作表現の観点から提示するものである。これらの記述及び表現は、データ処理技術の当業者が自らの研究内容を他の当業者に最も効果的に伝えるために使用する手段である。本明細書では、及び一般的には、手順、コンピュータが実行するステップ、論理ブロック、処理等は、望ましい結果をもたらす首尾一貫した一連のステップであると考えられる。これらのステップは、物理量の物理的操作を必要とする。必ずしもそうではないが、通常これらの量は、コンピュータシステムにおいて記憶、転送、合成、比較、及び別様に操作できる電気又は磁気信号の形をとる。主に共通使用という理由で、時にはこれらの信号をビット、値、要素、記号、文字、用語、番号などと呼ぶことが便利であることが分かっている。
【００１４】
しかしながら、これらの及び同様の用語は、全て適当な物理量に関連付けられるべきものであり、またこれらの量に与えられた便利な表記に過ぎない点に留意されたい。以下の説明から明らかなように、特に別途述べていない限り、本発明全体を通じて、「ｐｒｏｃｅｓｓｉｎｇ（処理する）」又は「ａｃｃｅｓｓｉｎｇ（アクセスする）」又は「ｅｘｅｃｕｔｉｎｇ（実行する）」又は「ｓｔｏｒｉｎｇ（記憶する）」又は「ｒｅｎｄｅｒｉｎｇ（表示する）」などの用語を利用した説明は、コンピュータシステムのレジスタ及びメモリ内の物理（電子）量として表されるデータを操作し、コンピュータシステムのメモリ、レジスタ、又はその他のこのような情報記憶装置、送信又は表示装置内の物理量として同様に表される他のデータに変換する計算機能を有するシステム（図６のシステム６００など）又は同様の電子計算装置の動作及び処理を意味するものである。
【００１５】
対話情報を表示するための例示的なシステム及び方法
図１〜図６に、本発明の様々な実施形態によって使用する例示的な構成要素を示す。システム１００〜６００では特定の構成要素を開示するが、このような構成要素は一例であると理解されたい。すなわち、本発明の実施形態は、他の様々な構成要素又はシステム１００〜６００に示す構成要素の変形例を有することに十分に適している。システム１００〜６００内の構成要素は、提示している以外の構成要素とともに動作することができ、またシステム１００〜６００の目的を達成するためにシステム１００〜６００の構成要素が必ずしも全て必要なわけではないと理解されたい。
【００１６】
図１は、本発明の１つの実施形態による例示的なオンスクリーン表示領域を示す図である。例示的な表示領域１００は、テレビディスプレイなどの媒体ディスプレイ上に存在し、コンテンツ領域１０２及び対話型バナー１０４を含む。この実施形態では、ユーザが、複雑なメニューに入って設定又はコンテンツ変更を行う必要なく、対話型バナー１０４内の情報と作用し合うことにより、ディスプレイ装置又はその他のコンテンツ表示の設定を直接変更することができる。
【００１７】
コンテンツ領域１０２は、コンピュータ、コンピュータネットワーク、ポータブル装置、セットトップボックス、無線放送、有線放送、衛星放送、デジタル多用途ディスク（ＤＶＤ）、Ｂｌｕ−ｒａｙディスク、ハンドヘルド装置向けデジタルビデオ放送（ＤＶＢ−Ｈ）、デジタルマルチメディア放送（ＤＭＢ）、ハンドヘルド装置向け衛星デジタルビデオ放送（ＤＶＢ−ＳＨ）、デジタルオーディオ放送（ＤＡＢ）、デジタルビデオ放送ＩＰデータキャスティング（ＤＶＢ−ＩＰＤＣ）、インターネットプロトコルテレビ（ＩＰＴＶ）などを含む様々なソースからのコンテンツを表示することができる。
【００１８】
対話型バナー１０４は、コンテンツへのアクセス時、コンテンツの閲覧中（例えば、コンテンツの再生開始時、又はコマンドの受信時）、又は（リモコン上の情報ボタンなどを介した）ユーザからのコマンド時に表示することができる。１つの実施形態では、対話型バナー１０４がコンテンツ領域１０２に重ねて表示される。別の実施形態では、コンテンツ領域１０２が、対話型バナー１０４の表示中にコンテンツ領域１０２が完全に表示されるようにスケール調整される。対話型バナー１０４は、コンテンツ領域１０２内に表示されるコンテンツに関連する情報を含み、コンテンツ表示を制御する項目、及び表示領域１００を表示する装置の設定を変更する項目を含む。
【００１９】
１つの例示的な実施形態では、対話型バナー１０４が、入力領域１０６、ソース領域１０８、タイトル領域１１０、記述領域１１２、お気に入りマーク領域１１４、ズームモード領域１１６、クローズドキャプション領域１１８、もっと見るボタン１２０、プログレスバー１２２、商取引領域１３０、及びレーティング領域１３２を含む。プログレスバー１２２は、プログレスインジケータ１２８、経過時間インジケータ１２４、及び残り時間インジケータ１２６を含む。プログレスインジケータ１２８は、コンテンツ内の現在位置を示す。経過時間インジケータ１２４は、コンテンツの先頭に対する時間を示す。残り時間インジケータ１２６は、コンテンツの残り再生時間を示す。
【００２０】
入力領域１０６は、現在の信号入力を示す。入力領域１０６は、ＨＤＭＩ（高品位マルチメディアインターフェイス）、ディスプレイポート、ＤＶＩ（デジタルビジュアルインターフェイス）、ＶＧＡ、Ｓビデオ、コンポーネント、コンポジット、ＳＣＡＲＴ、ケーブル、及び衛星などを含む複数のビデオ入力タイプを示すことができる。１つの実施形態では、入力領域１０６が（遠隔制御装置などを介して）選択可能であり、また入力リストの表示を通じて他の入力の選択を可能にする。本発明の実施形態により提示される例示的なオンスクリーン入力リストは図２に示している。
【００２１】
図１のソース領域１０８は、コンテンツのソースを示す。ソース領域１０８は、コンテンツ領域１０２に表示されるコンテンツのソースを示す。１つの実施形態では、ソース領域１０８が（遠隔制御装置などを介して）選択可能であり、またソースリストの表示を通じて他のソース（ＤＶＤ又はテレビ局など）の選択を可能にする。例えば、ソース領域１０８を選択すると、コンテンツ領域１０２に表示されるテレビ局を変更するように選択可能なテレビ局のリスト表示が呼び出される。本発明の実施形態により提示される例示的なオンスクリーンソースリストは図３に示している。
【００２２】
図１のタイトル領域１１０は、コンテンツのタイトルを示し、記述領域１１２は、コンテンツ領域１０２に表示できるコンテンツの記述を示す。１つの実施形態では、タイトル領域１１０及び記述１１２が、選択時に追加情報（追加記述又は残りのタイトル部分など）を示すべく拡大されるようにすることができる。
【００２３】
お気に入りマーク領域１１４は、あるコンテンツソースがユーザの指示するお気に入りであるかどうかを示す。例えば、あるテレビチャネルをお気に入りとしてマークすることができる。お気に入りマーク領域１１４は、選択時にコンテンツソースをお気に入りリストに追加し、又は選択時にコンテンツソースをお気に入りリストから削除する。
【００２４】
ズームモード領域１１６は、コンテンツ１０２に適用されている現在のズーム量を示す。ズームモード領域１１６は選択することができ、この選択に応じて、ズームモードオプションリスト（ワイドズーム、標準、最大、及びズームなど）を選択用に提示することができる。ズームモードオプションを選択すると、ズームモードが変更される。
【００２５】
１つの実施形態では、オンスクリーンクローズドキャプション領域１１８が、選択時に１又はそれ以上のクローズドキャプションストリームのリストを提示して、クローズドキャプションストリームの選択を可能にする。クローズドキャプション領域１１８は、選択されている現在のクローズドキャプションストリームをさらに示すことができる。従って、本発明の実施形態では、ユーザが、一般的な又はディスプレイ装置のメニューに入ることなくクローズドキャプションストリームを修正することができる。
【００２６】
もっと見るボタン１２０は、ユーザによる選択時に、追加メニューのオンスクリーンリストを提示して、ディスプレイ装置の１又はそれ以上の構成メニューの選択を可能にする。例えば、もっと見るボタン１２０を選択すると、音響設定メニュー及び画像調整メニューを含む追加メニューのリストを提示することができる。本発明の実施形態により提示される例示的な追加メニューリストは図４に示している。
【００２７】
商取引領域１３０は、ユーザが購入を行うための機能又はその他の商取引関連機能を呼び出せるようにする。例えば、ユーザは、商取引領域１３０に関連する機能を呼び出して、コンテンツに関連するアプリケーション又は音楽（テレビ番組又は映画のサウンドトラックなど）を購入することができる。商取引領域１３０は、ユーザが電子ストア（アプリケーションストアなど）を起動して、コンテンツに関連する様々な品物（ポスター、音楽、記念品、イベントチケットなど）及びコンテンツに関連しない品物を購入できるようにすることができると理解されたい。
【００２８】
レーティング領域１３２は、レーティング情報を示して、レーティング制御（ペアレンタルロック又は最大許容レーティングなど）の構成を可能にすることができる。レーティング情報は、適切な視聴者ラベル（例えば、Ｙ（全ての子ども向け）、Ｙ７（７歳以上の子ども向け）、Ｙ７  ＦＶ（７歳以上の子ども向け〜空想的暴力あり）、Ｇ（年齢制限無し）、ＰＧ（保護者の指導が望ましい）、１４（保護者の強い注意が必要）、ＭＡ（成人向け））、及びコンテンツラベル（Ｄ（示唆する会話あり）、Ｌ（下品又は粗野な言葉あり）、Ｓ（性的場面あり）、Ｖ（暴力あり）、ＦＶ（空想的暴力あり）など）を含む様々なカテゴリを含むことができる。
【００２９】
図２に、本発明の１つの実施形態による、バナー領域１０４内のユーザ選択により呼び出されるオンスクリーン入力メニューの例示的な構成要素を示す。例示的なグラフィックユーザインターフェイス２００は、コンテンツ領域２０２及びメニュー２０４を含む。１つの実施形態では、ディスプレイ装置の入力を示す領域（入力領域１０６など）の（リモコンなどを介した）選択時にメニュー２０４が表示される。メニュー２０４は、対話型バナー（対話型バナー１０４など）を使用せずに提示することもでき、或いは対話型バナーを経由することもできると理解されたい。
【００３０】
メニュー２０４は、現在の入力２０６及び入力２０８を含む。メニュー２０４は、現在の入力２０６が入力領域１０６と同じ位置及び空間を占めるように表示することができる。現在の入力２０６が強調表示されて、この現在の入力２０６が、コンテンツ領域２０２内のコンテンツを表示する入力として現在選択されている入力であることが示されている。入力２０８は、選択可能であるとともにディスプレイ装置の他の入力に関連し、これによりユーザは、オンスクリーンメニュー又はその他の構成領域に入り又はこれらを別様にナビゲーションする必要なく容易に入力を変更できるようになる。
【００３１】
図３に、本発明の１つの実施形態による、対話型バナー領域１０４内のユーザ選択に応答して呼び出されるオンスクリーンチャネルメニューの例示的な構成要素を示す。例示的なグラフィックユーザインターフェイス３００は、コンテンツ領域３０２及びメニュー３０４を含む。１つの実施形態では、コンテンツソースを示す領域（ソース領域１０８など）の（リモコンなどを介した）選択時にメニュー３０４が表示される。メニュー３０４は、現在のチャネル３０６がソース領域１０８と同じ位置及び空間を占めるように表示できると理解されたい。
【００３２】
メニュー３０４は、現在のチャネル項目３０６及びチャネル３０８を含み、これらは、チャネル番号、テレビネットワーク、及び呼び出し符号を含むことができる。現在のチャネル項目３０６が強調表示されて、このチャネル項目３０６に対応するチャネルがコンテンツ領域３０２の現在のソースであることが示されている。チャネル項目３０８は、ユーザが選択できる他のチャネルを示す。メニュー３０４は、一度に２、３チャネルしか表示しないものの、ユーザが多くのチャネルをナビゲートできるようにすることもできる。メニュー３０４は、コンテンツ３０２内にコンテンツを表示したままでユーザがチャネルを効果的にナビゲートできるようにすると理解されたい。さらに、メニュー３０４は、表示されるコンテンツを遮り又はそのサイズを別様に実質的に縮小し得る電子番組ガイド（ＥＰＧ）を表示することなくユーザがチャネルを変更できるようにすると理解されたい。
【００３３】
図４に、本発明の１つの実施形態による、ユーザがバナー領域１０４内のもっと見るボタン１２０などを選択したことによって呼び出される、追加メニューを選択するためのオンスクリーンメニューの例示的な構成要素を示す。例示的なグラフィックユーザインターフェイス４００は、コンテンツ領域４０２、もっと見るボタン４２０、及びメニュー４０４を含む。メニュー４０４は、ユーザがもっと見るボタン４２０（もっと見るボタン１２０など）を選択したことに応答して表示することができる。メニュー４０４は、ユーザがメニュー項目４０６の選択を通じて様々な構成メニューを起動できるようにする。例えば、ユーザは、メニュー項目４０６により、画像調整構成メニュー、音響調整構成メニュー、又は装置制御構成メニューを起動することができる。従って、オンスクリーンメニュー４０４は、ユーザが一般的な構成メニューに入り又はこれらを別様にナビゲートし、或いは利用可能な各構成メニューをディスプレイ装置上でスクロールする必要なく、素早く構成メニュー（音響調整及び画像調整など）に入れるようにすると理解されたい。
【００３４】
図５に、本発明の１つの実施形態によるオーディオ／ビデオディスプレイ装置の例示的な構成要素を示す。システム５００は、コンテンツ受信機５０２、ディスプレイコントローラ５０４、ディスプレイ画面５０６、コマンド受信機５０８、コマンドプロセッサ５１４、オーディオコントローラ５１６、ネットワークインターフェイス５１８、対話情報モジュール５２０、及びプロセッサ５２２を含む。プロセッサ５２２は、システム５００の構成要素の機能を実行し、又は別様に実施する。
【００３５】
コンテンツ受信機５０２は、システム５００のためにコンテンツ接続５２６及び（ネットワークインターフェイス５１８を介したコンピュータネットワークなどの）ネットワーク５２４を介してコンテンツを受信する。コンテンツ受信機５０２は、以下に限定されるわけではないが、コンピュータ、コンピュータネットワーク、ポータブル装置、セットトップボックス、無線放送、有線放送、衛星放送、デジタル多用途ディスク（ＤＶＤ）、Ｂｌｕ−ｒａｙディスク、ハンドヘルド装置向けデジタルビデオ放送（ＤＶＢ−Ｈ）、デジタルマルチメディア放送（ＤＭＢ）、ハンドヘルド装置向け衛星デジタルビデオ放送（ＤＶＢ−ＳＨ）、デジタルオーディオ放送（ＤＡＢ）、デジタルビデオ放送ＩＰデータキャスティング（ＤＶＢ−ＩＰＤＣ）、インターネットプロトコルテレビ（ＩＰＴＶ）などを含む様々なソースからコンテンツを含む信号を受信することができる。コンテンツ受信機５０２は、電子番組ガイド情報を受信することもできる。コンテンツ接続５２６は、ＨＤＭＩ（高品位マルチメディアインターフェイス）、ディスプレイポート、ＤＶＩ（デジタルビジュアルインターフェイス）、ＶＧＡ（ビデオグラフィックアレイ）、ＳＶＩＤＥＯ、コンポーネント、コンポジット、ＳＣＡＲＴ（Ｓｙｎｄｉｃａｔ  ｄｅｓ  Ｃｏｎｓｔｒｕｃｔｅｕｒｓ  ｄ’Ａｐｐａｒｅｉｌｓ  Ｒａｄｉｏｒｅｃｅｐｔｅｕｒｓ  ｅｔ  Ｔｅｌｅｖｉｓｅｕｒｓ）、ケーブル及び衛星などを含む様々な接続タイプを含むことができる。
【００３６】
ディスプレイコントローラ５０４は、システム５００のディスプレイ画面５０６を制御する。ディスプレイコントローラ５０４は、ＣＲＴ（ブラウン管）、ＬＣＤ（液晶ディスプレイ）、プラズマディスプレイ、投影型、及びＤＬＰ（デジタルライ卜プロセッシング）ディスプレイなどを含む、システム５００に関連する様々なディスプレイ画面タイプを制御することができる。
【００３７】
コマンド受信機５０８は、システム５００のための遠隔制御コマンドを受信する。コマンド受信機５０８は、光受信機及び無線周波数を含む様々な技術を通じてコマンドを受信することができる。コマンドは、（リモコン５２８などの）遠隔制御装置を介して発することができる。コマンド受信機５０８は、これらのコマンドを処理のためにコマンドプロセッサ５１４に送信する。
【００３８】
コマンドプロセッサ５１４は、コマンド受信機５０８から受け取ったコマンドを処理する。例えば、赤外線受信機又は無線周波数受信機を介して制御コード（音量の増大、チャネルの変更、ＥＰＧの選択、アプリケーションの起動、ウェブブラウザの起動など）を受け取り、これらをコマンドプロセッサ５１４により復号して処理し、或いは処理のために対話情報モジュール５２０に送信することができる。
【００３９】
対話情報モジュール５２０は、コンテンツ情報アクセスモジュール５３０、コンテンツ情報表示モジュール５３４、コンテンツ情報選択モジュール５３６、情報関連オプションモジュール５３８、及びコンテンツ情報選択処理モジュール５３９を含む。コンテンツ情報アクセスモジュール５３０は、本明細書で説明するようなコンテンツストリームにアクセスし、このコンテンツストリームに含まれるコンテンツに関する様々な情報（メタデータなど）、並びにコンテンツに関する様々な設定及び情報にアクセスする。例えば、コンテンツ情報アクセスモジュール５３０は、レーティング情報、入力情報、ソース情報、タイトル情報、記述情報、ズームモード情報、及びクローズドキャプション情報にアクセスすることができる。コンテンツ情報アクセスモジュール５３０は、これらの情報をコンテンツ情報表示モジュール５３４に提供する。
【００４０】
コンテンツ情報表示モジュール５３４は、コンテンツに関する設定及び情報とともにコンテンツ情報を表示する。例えば、コンテンツ情報表示モジュール５３４は、対話型バナー（対話型バナー１０４など）のコンテンツを表示するとともに、現在のレーティング、ズームモード、クローズドキャプションのオプション、入力、ソース、タイトル記述、及びコンテンツのレーティングを含む、コンテンツに関する様々な情報を表示することができる。１つの実施形態では、コンテンツ情報表示モジュール５３４が、リモコン５２８上の情報ボタン５５０が押されたことに応答して対話型バナーを表示する。
【００４１】
コンテンツ情報選択モジュール５３６は、（例えば、コンテンツ情報表示モジュール５３４により表示される）コンテンツに関連する情報の選択を可能にする。例えば、コンテンツ情報選択モジュール５３６は、レーティング情報、入力、ソース、ズームモード、タイトル、記述、クローズドキャプション、お気に入り及びその他の設定を含む様々なコンテンツ関連情報を（リモコン又はタッチインターフェイスなどを介して）ユーザが選択できるようにする。コンテンツ情報選択モジュール５３６は、これらの選択をコンテンツ情報選択処理モジュール５３９に提供する。
【００４２】
情報関連オプションモジュール５３８は、コンテンツ関連情報とともに提示される情報又はオブジェクトに関連するオプションにアクセスして提示する。情報関連オプションモジュール５３８は、入力機能アクセスモジュール５４０、放送機能アクセスモジュール５４４、媒体再生機能アクセスモジュール５４６、及び全体機能アクセスモジュール５４８をさらに含むことができる。入力機能アクセスモジュール５４０は、入力を変更するための及び入力ラベルを編集するためのメニュー（メニュー２０４など）を提示する。
【００４３】
放送機能アクセスモジュール５４４は、様々な放送コンテンツ設定を選択して変更するためのメニューを提示する。例えば、放送機能アクセスモジュール５４４は、（メニュー３０４などの）チャネルの変更、チャネルラベルの編集、（電子番組ガイド又はその他のメタデータソースへのリンクなどを介した）番組記述の閲覧、ペアレンタルロックの設定（許容される最大コンテンツレーティングなど）、チャネルブロック、代替のオーディオストリーム（異なる言語など）の選択、クローズドキャプションの設定（クローズドキャプションストリームの選択など）、及び放送の録画の開始又は停止を可能にすることができる。
【００４４】
媒体再生機能アクセスモジュール５４６は、音楽、写真、及びインターネットビデオ／ストリーミングコンテンツを含む様々なコンテンツのコンテンツ表示を選択して変更するためのメニューを提示する。例えば、媒体再生機能アクセスモジュール５４６は、コンテンツナビゲーション（次の／前のコンテンツに進むことなど）、字幕の有効化、コンテンツ（写真又はビデオなど）の回転、ファイル保護のオン／オフ、スライドショーモードへの出入り、再生バーを介した再生制御（一時停止、再生、停止、巻き戻し、早送りなど）、再生モードの調整（シャッフル及びリピート設定など）、（例えば、写真の全地球測位システム（ＧＰＳ）を使用して地図上に撮影場所を示す）フォトマップの起動を可能にすることができる。
【００４５】
全体機能アクセスモジュール５４８は、システム５００の様々な設定の変更を選択するためのメニュー（メニュー４０４など）を提示する。例えば、全体機能アクセスモジュール５４８は、音量の変更、消音、画像及び音響の調整、ワイドモードの調整、シーン選択（画像及び音響設定の提示など）、音楽検索の起動（コンテンツからの音を分析して楽曲を識別することなど）、ビデオ検索の起動（現在のコンテンツのメタデータを用いたビデオの検索など）、関連コンテンツを購入するためのアプリケーションストアの起動、お気に入りからのコンテンツの追加／削除、レーティング（星評価、いいねなど）、コンテンツの共有（コンテンツに関する情報をソーシャルネットワーキングサイトに推奨又は投稿することなど）、及び時計の調整を可能にすることができる。
【００４６】
コンテンツ情報選択処理モジュール５３９は、提示するオプションの選択を情報関連オプションモジュール５３８を介して受け取り、関連する機能を実行する。例えば、情報関連オプションモジュール５３８が、システム５００の入力を提示して、コンテンツ情報選択処理モジュール５３９が、この入力の選択を処理してシステム５００の入力変更動作を呼び出すことができる。
【００４７】
オーディオコントローラ５１６は、以下に限定されるわけではないが、２チャネル、２．１チャネル、３．１チャネル、５．１チャネル、６．１チャネル、７．１チャネル及び８．１チャネルオーディオなどの様々な出力を含む、システム５００のオーディオ出力を制御する。オーディオコンテンツは、コンテンツ受信機５０２を介して受け取ることができる。オーディオコントローラ５１６は、システム５００に内蔵されたオーディオ機器に対して出力することができると理解されたい。
【００４８】
図６に、本発明の１つの実施形態による、対話情報を提示するための動作環境の例示的な構成要素を示す。実施形態を実装するための例示的なシステムは、コンピュータシステム環境６００などの汎用コンピュータシステム環境を含む。コンピュータシステム環境６００は、以下に限定されるわけではないが、サーバ、デスクトップコンピュータ、ラップトップ、ネットブック、タブレットＰＣ、モバイル装置、又はスマートフォンを含むことができる。コンピュータシステム環境６００は、その最も基本的な構成では、通常、少なくとも１つの処理装置６０２及びメモリ６０４を含む。メモリ６０４は、コンピュータシステム環境の正確な構成及びタイプに応じて、揮発性（ＲＡＭなど）であっても、不揮発性（ＲＯＭ、フラッシュメモリなど）であっても、又はこれらの何らかの組み合わせであってもよい。
【００４９】
システムメモリ６０４は、とりわけ、オペレーティングシステム６１８（ＯＳ）、（単複の）アプリケーション６２０、及びコンテンツ表示アプリケーション６２２を含むことができる。コンテンツ表示アプリケーション６２２は、コンテンツ（ＴＶ放送、ケーブル送信、衛星、ＤＶＤ、Ｂｌｕ−ｒａｙ、音楽、写真、及びインターネットコンテンツなど）を表示する。コンテンツ表示アプリケーション６２２は、本明細書で説明するようなコンテンツに関する情報を提示する対話コンテンツ情報モジュール６２４を含む。対話コンテンツ情報モジュール６２４は、コンテンツに関する情報の選択に基づいて、対応するメニューの選択及び提示をさらに可能にする。
【００５０】
また、コンピュータシステム環境６００は、追加の特徴／機能を有することもできる。例えば、コンピュータシステム環境６００は、以下に限定されるわけではないが、磁気又は光学ディスク又はテープを含む（取り外し可能な及び／又は取り外し不能な）追加の記憶装置を含むこともできる。このような追加の記憶装置は、図１に取り外し可能記憶装置６０８及び取り外し不能記憶装置６１０によって示している。コンピュータ記憶媒体は、コンピュータ可読命令、データ構造、プログラムモジュール又はその他のデータなどの情報を記憶するためのあらゆる方法又は技術で実装される、揮発性及び不揮発性の取り外し可能な及び取り外し不能な媒体を含む。メモリ６０４、取り外し可能記憶装置６０８及び取り外し不能記憶装置６１０は全て、コンピュータ記憶媒体の例である。コンピュータ記憶媒体としては、以下に限定されるわけではないが、ＲＡＭ、ＲＯＭ、ＥＥＰＲＯＭ、フラッシュメモリ又はその他のメモリ技術、ＣＤ−ＲＯＭ、デジタル多用途ディスク（ＤＶＤ）又はその他の光学記憶装置、磁気カセット、磁気テープ、磁気ディスク記憶装置又はその他の磁気記憶装置、又は所望の情報を記憶するために使用できてコンピュータシステム環境６００がアクセスできるその他の全ての媒体が挙げられる。このようなあらゆるコンピュータ記憶媒体は、コンピュータシステム環境６００の一部とすることができる。
【００５１】
コンピュータシステム環境６００は、コンピュータシステム環境６００が他の装置と通信できるようにする（単複の）通信接続６１２を含むこともできる。（単複の）通信接続６１２は、通信媒体の一例である。通常、通信媒体は、コンピュータ可読命令、データ構造、プログラムモジュール又はその他のデータを、搬送波又はその他の搬送機構などの変調データ信号内に具体化し、全ての情報配信媒体を含む。「変調データ信号」という用語は、情報を信号内に符号化するように設定又は変更された特徴の１つ又はそれ以上を有する信号を意味する。一例として、及び限定ではなく、通信媒体は、有線ネットワーク又は直接有線接続などの有線媒体、並びに音響、ＲＦ、赤外線及びその他の無線媒体などの無線媒体を含む。本明細書で使用するコンピュータ可読媒体という用語は、記憶媒体及び通信媒体の両方を含む。
【００５２】
（単複の）通信接続６１２は、以下に限定されるわけではないが、Ｂｌｕｅｔｏｏｔｈ、Ｅｔｈｅｒｎｅｔ、Ｗｉ−Ｆｉ、赤外線データ規格（ＩｒＤＡ）、ローカルエリアネットワーク（ＬＡＮ）、無線ローカルエリアネットワーク（ＷＬＡＮ）、インターネットなどの広域ネットワーク（ＷＡＮ）、シリアルバス及びユニバーサルシリアルバス（ＵＳＢ）を含む様々なネットワークタイプを介してコンピュータシステム環境６００が通信できるようにすることができる。（単複の）通信接続６１２が接続する様々なネットワークタイプは、以下に限定されるわけではないが、伝送制御プロトコル（ＴＣＰ）、インターネットプロトコル（ＩＰ）、リアルタイムトランスポートプロトコル（ＲＴＰ）、リアルタイムトランスポート制御プロトコル（ＲＴＣＰ）、ファイル転送プロトコル（ＦＴＰ）、及びハイパーテキスト転送プロトコル（ＨＴＴＰ）を含む複数のネットワークプロトコルを実行できると理解されたい。
【００５３】
コンピュータシステム環境６００は、キーボード、マウス、ペン、音声入力装置、タッチ入力装置、遠隔制御装置などの（単複の）入力装置６１４を有することもできる。ディスプレイ、スピーカなどの（単複の）出力装置６１６を含めることもできる。当業では、これらの装置は全て周知であり、本明細書で詳細に説明する必要はない。
【００５４】
図７に、本発明の様々な実施形態により使用される機能例をフローチャート７００によって示す。フローチャート７００は、コンピュータ可読媒体に記憶できるコンピュータ可読命令及びコンピュータ実行可能命令の制御下にあるプロセッサにより様々な実施形態において行われる処理を含む。フローチャート７００では、特定の機能ブロック（「ブロック」）を開示しているが、このようなステップは一例である。すなわち、実施形態は、他の様々なブロック又はフローチャート７００に示すブロックの変形例を実行することに十分に適している。フローチャート７００のブロックは、提示する順序とは異なる順序で実行することもでき、また必ずしもフローチャート７００のブロックを全て実行できるわけではないと理解されたい。
【００５５】
図７には、本発明の１つの実施形態による、対話情報を提示するための例示的なコンピュータ制御処理７００のフローチャートを示している。処理７００は、ユーザがメニュー又はその他の一般的なディスプレイ装置メニューに入り、又はこれらを別様にナビゲートする必要なく設定を修正できるようにするものである。
【００５６】
ブロック７０２において、コンテンツソースからのコンテンツにアクセスする。本明細書で説明したように、コンテンツにアクセスしてディスプレイ装置上（システム５００など）に表示することができる。
【００５７】
ブロック７０４において、コンテンツに関連し、ユーザ選択可能な画面項目を有する情報を含むバナー領域が表示される。例えば、ユーザは、これらのユーザ選択可能な項目により、ズーム制御の調整、クローズドキャプションストリームの選択、言語の変更、（例えば、アプリケーション、オーディオ又はビデオ媒体、ソフトウェア、追加コンテンツなどを購入するための）電子ストアインターフェイスの呼び出し、レーティング制御の調整（ペアレンタルレーティングのロックなど）を行うことができる。本明細書で説明したように、コンテンツ領域の一部を使用して、コンテンツに関連する情報を表示することができる。バナーは、コンテンツの表示中、コンテンツの表示前、又はコンテンツの表示後に表示することができる。
【００５８】
ブロック７０６において、コンテンツに基づいてコンテンツ表示制御要素が表示される。本明細書で説明したように、コンテンツに関連する情報とともに、コンテンツを再生するための制御要素を表示することができる。
【００５９】
ブロック７０８において、ユーザが表示要素を選択したことに応答して、１つの情報の選択が受け取られる。本明細書で説明したように、コンテンツに関連する情報は、これらの情報を選択できるように対話形式で表示される。
【００６０】
ブロック７１０において、コンテンツに関連する１つの情報に関連する機能が実行される。本明細書で説明したように、オンスクリーンメニューを直接提示して、ディスプレイ装置の機能に対応するオプションを選択することができる。
【００６１】
ブロック７１２において、コンテンツ表示制御要素の選択が受け取られる。本明細書で説明したように、コンテンツ表示制御要素（再生ボタン、ズームモードなど）及びコンテンツに関連する情報は選択可能とすることができる。例えば、テレビの設定変更などを行うことができる。
【００６２】
ブロック７１４において、コンテンツ表示要素に関連するコンテンツ表示機能が実行される。
【００６３】
図８Ａ、図８Ｂ、図９Ａ、図９Ｂ、図１０Ａ、図１０Ｂ、図１０Ｃ、図１１Ａ、図１１Ｂ及び図１１Ｃに、本発明の実施形態による例示的なオンスクリーン表示領域を示す。図８Ａには、１つの実施形態による例示的なオンスクリーン表示領域８００を示している。オンスクリーン表示領域８００は、コンテンツ領域１０２、バナー１０４、ソース領域１０８、タイトル領域１１０、及び入力領域８０２を含む。入力領域８０２は、コンテンツ領域１０２内に示されているコンテンツに対応する現在の入力（ＨＭＤＩ１など）を示す。図示のように、入力領域８０２が強調表示されて、この入力領域８０２がバナー１０４の現在選択されている領域であることが示されている。（リモコンボタンなどを介して）入力領域８０２に関連する機能を呼び出すと、図８Ｂのオンスクリーン表示領域８５０を表示することができる。
【００６４】
図８Ｂには、１つの実施形態による例示的なオンスクリーン表示領域８５０を示している。オンスクリーン表示領域８５０は、入力メニュー８２０、現在の入力８２２、及びコンテンツ領域１０２を含む。入力メニュー８２０は、ユーザが選択可能なオンスクリーン入力リスト（ビデオ１、ＴＶ、ＨＤＭＩ１、ＨＤＭＩ２及び音楽など）を含む。図示のように、現在の入力８２２が強調表示されて、現在の入力がＨＤＭＩ１であることが示されている。（リモコンボタンなどを介して）「ＴＶ」入力を選択すると、図９Ａのオンスクリーン表示領域９００を表示することができる。
【００６５】
図９Ａには、１つの実施形態による例示的なオンスクリーン表示領域９００を示している。オンスクリーン表示領域９００は、コンテンツ領域１０２、バナー１０４、お気に入りボタン１１４、ズームモード領域１１６、クローズドキャプション領域１１８、もっと見るボタン１２０、タイトル領域１１０、ソース１０８、プログレスバー１２２、及びソース領域９０２を含む。図示のように、ソース領域９０２が強調表示されて、ソース領域９０２が選択されていることが示されている。１つの実施形態では、ある入力（ＴＶ又は音楽など）の選択時に、ソース領域１０８を通じてソースが選択されるまでコンテンツ領域１０２が空白になる。（リモコンなどを介して）ソース領域１０８を通じてソースが選択されると、図９Ｂのオンスクリーン表示領域９２０を表示することができる。
【００６６】
図９Ｂには、１つの実施形態による例示的なオンスクリーン表示領域９２０を示している。オンスクリーン表示領域９２０は、コンテンツ領域１０２、ソースメニュー９２２、及び現在のソース９２４を含む。ソースメニュー９２２は、ユーザが選択可能なオンスクリーンソースリスト（例えば、ＮＢＣ３９−１、ＣＢＳ８−１及びＡＢＣ１０−１などのチャネル）を含む。現在のソース９２４が強調表示されて、現在選択されているソース（ＣＢＳ８−１など）が示されている。１つの実施形態では、ユーザがいくつかの入力（ＴＶ又は音楽など）を選択した後にソースメニュー９２２をナビゲートしている間、ソースが選択されるまでコンテンツ領域１０２が空白になる。ソースが選択されると（例えば、リモコンボタンを介してチャネルが選択されると）、図１０Ａのオンスクリーン表示領域１０００を表示することができる。
【００６７】
図１０Ａには、１つの実施形態による例示的なオンスクリーン表示領域１０００を示している。オンスクリーン表示領域１０００は、コンテンツ領域１０２、バナー１０４、入力領域１０６、お気に入りボタン１１４、ズームモード領域１１６、クローズドキャプション領域１１８、もっと見るボタン１２０、プログレスバー１２２、記述領域１１２、タイトル領域１１０、及びソース領域１００２を含む。図示のように、ソース領域１００２が強調表示されて、ソース領域１００２が選択されており、ソースメニュー（ソースメニュー９２４など）を呼び出しできることが示されている。コンテンツ領域１０２は、ソース領域１００２によって示されるソース（ＮＢＣ３９−１など）に対応するコンテンツを表示する。その後、ユーザは、バナー１０４をナビゲートして、バナー１０４の他の領域を選択することができる。例えば、ユーザは、ナビゲーションを行ってズームモード領域１１６を選択することができ、これにより図１０Ｂのオンスクリーン表示領域１０５０が表示される。
【００６８】
図１０Ｂには、１つの実施形態による例示的なオンスクリーン表示領域１０５０を示している。オンスクリーン表示領域１０５０は、コンテンツ領域１０２、バナー１０４、入力領域１０６、ソース領域１０８、お気に入りボタン１１４、クローズドキャプション領域１１８、もっと見るボタン１２０、プログレスバー１２２、記述領域１１２、タイトル領域１１０、及びズームモード領域１０５２を含む。図示のように、ズームモード領域１０５２が強調表示されて、ズームモード領域１０５２が選択されており、ズーム関連機能又はメニューを呼び出しできることが示されている。１つの実施形態では、ズームモード領域１０５２が、ズームモードを切り替えるためのオンスクリーンボタンである。例示的な実施形態では、ズームモード領域１０５２に関連する機能を呼び出すと、図１０Ｃのオンスクリーン表示領域１０８０を表示することができる。
【００６９】
図１０Ｃには、１つの実施形態による例示的なオンスクリーン表示領域１０８０を示している。オンスクリーン表示領域１０８０は、コンテンツ領域１０２、バナー１０４、入力領域１０６、ソース領域１０８、お気に入りボタン１１４、クローズドキャプション領域１１８、もっと見るボタン１２０、プログレスバー１２２、記述領域１１２、タイトル領域１１０及びズームモード領域１０５２、並びに境界領域１０８２を含む。図示のように、ズームモード領域１０５２を介してズームモードを切り替えたことによりズームモード（４：３のアスペクト比のコンテンツのノーマルモードなど）が変更されたことに起因して境界領域１０８２が存在する。
【００７０】
図１１Ａには、１つの実施形態による例示的なオンスクリーン表示領域１１００を示している。オンスクリーン表示領域１１００は、コンテンツ領域１０２、バナー１０４、入力領域１０６、ソース領域１０８、お気に入りボタン１１４、クローズドキャプション領域１１８、プログレスバー１２２、記述領域１１２、タイトル領域１１０及びズームモード領域１１６、並びにもっと見るボタン１１０２を含む。図示のように、もっと見るボタン１１０２が強調表示されて、もっと見るボタン１１０２が選択されており、追加のオプション、（追加メニューなどを介した）機能又はメニューを呼び出しできることが示されている。もっと見るボタン１１０２を呼び出すと、図１１Ｂのオンスクリーン表示領域１１５０を表示することができる。
【００７１】
図１１Ｂには、１つの実施形態による例示的なオンスクリーン表示領域１１５０を示している。オンスクリーン表示領域１１５０は、コンテンツ領域１０２、メニュー１１５２、もっと見るボタン１１０２、及び現在のメニュー１１５４を含む。１つの例示的な実施形態では、メニュー１１５２が、装置制御項目、音響調整項目、及び画像調整項目を含む。選択するとメニュー１１５４が表示され、もっと見るボタン１１０２に関連する機能が呼び出される。図示のように、現在のメニュー１１５４が強調表示されて、ユーザが（リモコンなどを介した）選択時に呼び出しできるメニュー（音響調整など）が示されている。（リモコンなどを介して）現在のメニュー１１５４を選択すると、図１１Ｃのオンスクリーン表示領域１１８０を表示することができる。
【００７２】
図１１Ｃには、１つの実施形態による例示的なオンスクリーン表示領域１１８０を示している。オンスクリーン表示領域１１８０は、コンテンツ領域１０２及び設定調整領域１１８２を含む。ユーザは、設定調整領域１１８２により、オーディオ／ビデオディスプレイ装置の様々な設定を変更することができる。１つの例示的な実施形態では、設定調整領域１１８２が、メニュー（メニュー１１５２など）の音響調整メニューを通じて呼び出される音響調整画面である。設定調整領域１１８２は、コンテンツ領域１０２に重ねて表示することができる。
【００７３】
このようにして、本発明の実施形態は、コンテンツに関する情報に関連する機能に直接容易にアクセスするように選択可能な、コンテンツに関する情報を含む対話型バナーを提供する。従って、一般的なメニューに入ってナビゲーションを行う必要なく、ディスプレイ装置の設定及びその他のコンテンツ表示設定に容易にアクセスできるようになる。本発明の実施形態では、対話型バナーを介して機能を利用できるので、リモコンキーに直接アクセスする必要がさらになくなる。本発明の実施形態は、リモコン上のどのボタンを押すべきかを判断する必要があるようにする代わりに、どこで設定変更を行うかをユーザがより確実に予想できるようにもする。
【００７４】
上述した本発明の特定の実施形態の説明は、例示及び説明目的で示したものである。これらの実施形態は、全てを網羅するため、又は開示する厳密な形に本発明を限定するためのものではなく、上記の教示に照らして多くの修正及び変形が可能である。これらの実施形態は、本発明の原理及びその実施可能な応用を最も適切に説明し、これにより当業者が本発明及び様々な実施形態を、想定される特定の使用に適した様々な修正を加えて最も良く利用できるようにするために選択し説明したものである。本発明の範囲は、本明細書に添付する特許請求の範囲及びその同等物によって定められることが意図されている。
【符号の説明】
【００７５】
１００：システム
１０２：コンテンツ
１０４：対話型バナー
１０６：入力
１０８：ソース
１１０：タイトル
１１２：記述
１１４：お気に入り
１１６：ズームモード
１１８：ＣＣ（クローズドキャプション）
１２０：もっと見る
１２２：プログレスバー
１２４：経過時間インジケータ
１２６：残り時間インジケータ
１２８：プログレスインジケータ
１３０：商取引
１３２：レーティング
【図１】
2014510332.tif 000003
【図２】
2014510332.tif 000004
【図３】
2014510332.tif 000005
【図４】
2014510332.tif 000006
【図５】
2014510332.tif 000007
【図６】
2014510332.tif 000008
【図７】
2014510332.tif 000009
【図８Ａ】
2014510332.tif 000010
【図８Ｂ】
2014510332.tif 000011
【図９Ａ】
2014510332.tif 000012
【図９Ｂ】
2014510332.tif 000013
【図１０Ａ】
2014510332.tif 000014
【図１０Ｂ】
2014510332.tif 000015
【図１０Ｃ】
2014510332.tif 000016
【図１１Ａ】
2014510332.tif 000017
【図１１Ｂ】
2014510332.tif 000018
【図１１Ｃ】
2014510332.tif 000019
【国際調査報告】
2014510332.tif 000020